(57)【要約】      （修正有）【課題】水分を供給し、容器は変形しにくく、正確な形状の土壌充填範囲を確保し、かつ夏の都市のヒートアイランド現象の低下が期待できる緑化部材を用いた地表面を被覆の被覆方法。【解決手段】適度の間隔を介して配置した複数の容器１と、各容器１の上の開口面を閉塞し除去可能な蓋２と、各容器１の底面に開口した排水口１１と、排水口１１の周囲に形成した越流堰１２と、越流堰１２と容器１の壁面の間に形成した貯水槽１３とで構成したものである。【選択図】図３
2012087477.tif 000002
【特許請求の範囲】
【請求項１】
適度の間隔を介して配置した複数の容器と、
各容器の上の開口面を閉塞し除去可能な蓋と、
各容器の底面に開口した排水口と、
排水口の周囲に形成した越流堰と、
越流堰と容器の壁面の間に形成した貯水槽とで構成したことを特徴とした、
地表面の緑化部材。
【請求項２】
複数の容器は、
共通する基盤上に配置した、
請求項１記載の地表面の緑化部材。
【請求項３】
基盤は、板状の基盤を採用した、
請求項２記載の地表面の緑化部材。
【請求項４】
基盤は、網状の基盤を採用した、
請求項２記載の地表面の緑化部材。
【請求項５】
容器は、
貯水槽と、その上部とが分離しており、両者を一体化可能に構成した、
請求項１記載の地表面の緑化部材。
【請求項６】
容器の蓋は、容器内に押し込んで破壊できるように構成した、
請求項１記載の地表面の緑化部材。
【請求項７】
容器の蓋は、生分解する材料で構成した、
請求項１記載の地表面の緑化部材。
【請求項８】
請求項１記載の緑化部材を使用し、
隣接する容器の間にコンクリート、アスファルトなどの硬化材を充填し、
硬化材の硬化後に蓋を除去し、
容器の内部に土壌を充填して植生することを特徴とした、
地表面の緑化方法。
【請求項９】
容器と容器との間に鉄筋などの補強材を配置することを特徴とした、
請求項８記載の地表面の緑化方法。
【発明の詳細な説明】
【技術分野】
【０００１】
本発明は、道路面や切土、盛土の法面、堤防や河川の斜面のような地表面を緑化する部材と緑化する方法に関するものである。
【背景技術】
【０００２】
地表面の全面をコンクリート、アスファルトなどで舗装して自然を隠してしまう構造に比較して、その一部に植生がなされていると、人の心を安らかにする環境を提供できる。
そのように、地表面の一部を被覆し、残りの部分を緑化する方法として、イギリスの「Ｇｒａｓｓ  Ｃｒｅｔｅ」と称する方法が知られている。
これは図９から図１３に示すような方法である。
すなわち図９に示すように、菓子箱の仕切りのような、一枚の面から複数の容器を膨出させた、薄いプラスチック製の型枠を使用する。
この容器は底を備えており、その開口部を下向きにし、底面を上向きにした状態で地表面に伏せて設置する。
次に、容器間にメッシュ金網を敷設し、容器と容器の間にコンクリートを打設する。
次にコンクリートの表面に露出している容器の底面をジェット炎で融解または焼却して容器を開口する。
開口した底面から、種を混合した培養のための土壌を投入して、道路面の舗装と植生とを同時に完成させる。
【先行技術文献】
【特許文献】
【０００３】
【非特許文献１】「Ｇｒａｓｓ  Ｃｒｅｔｅ」のホームページ。
【発明の概要】
【発明が解決しようとする課題】
【０００４】
前記した緑化方法にあっては、次のような問題点がある。
＜１＞  道路舗装の場合に、植生する容器の表面積を大きくすると通行するタイヤが落ち込んでしまうから容器の容積を大きくできない。そのために内部の土壌の容量も大きくできず、その結果、保水機能が低いために日照りが続くと植物の生育が困難となりやすい。
＜２＞  表面に露出している容器の底面を除去するためにジェット炎で溶解させる方法を採用している。そのために広い面積を施工すると、ダイオキシンなどが発生する。
【課題を解決するための手段】
【０００５】
上記のような課題を解決するために、本発明の地表面の緑化部材は、適度の間隔を介して配置した複数の容器と、容器の上の開口面を閉塞し除去可能な蓋と、容器の底面に開口した排水口と、排水口の周囲に形成した越流堰と、越流堰と容器の壁面の間に形成した貯水槽１３とで構成したことを特徴としたものである。
上記の貯水槽１３の上にはフィルタを配置することができる。
また上記の貯水槽１３の内部には、排水材を配置することができる。
また上記の複数の容器は、共通する基盤３上に設置することができる。
また前記の基盤３は、板状の基盤３を採用することができる。
また前記の基盤３は、網状の基盤３を採用することができる。
また上記の容器は、貯水槽１３と、その上部とが分離しており、両者を一体化可能に構成することができる。
また前記の容器の蓋は、容器内に押し込んで破壊できる構成を採用することができる。
また前記の容器の蓋は、生分解する材料で構成することができる。
また前記の容器の蓋は、逆円錐台の形状に構成することができる。
また前記の容器の形状は、円形の筒、あるいは多角形の筒を採用することができる。
また本発明の地表面の緑化方法は、上記の緑化部材を使用し、隣接する容器の間にコンクリート、アスファルトなどの硬化材４を充填し、硬化材４の硬化後に蓋を除去し、容器の内部に土壌を充填して植生することを特徴としたものである。
上記の方法において、容器と容器との間に鉄筋などの補強材を配置することができる。
【発明の効果】
【０００６】
本発明の地表面の緑化部材と緑化方法は以上説明したようになるから次のような効果を得ることができる。
＜１＞  容器の底部分に貯水槽１３を設けてあるから、乾燥地帯や乾燥季においても、容器内の土壌に適度の水分を供給することができる。
＜２＞  貯水槽１３の越流堰には一定の高さがあるから、斜面に配置した場合にも貯水槽１３内の水が流出してしまうことがなく、一定の量の水を確保することができる。
＜３＞  コンクリートなどが硬化するまでは、容器の上部の開放部には蓋が嵌合している。したがって容器の周囲から流動状態のコンクリートなどの圧力が加わっても容器は変形しにくく、正確な形状の土壌充填範囲を確保することができる。
＜４＞  本願のように舗装面の一部緑化を行い、散水または降雨と組み合わせれば、コンクリートまたはアスファルトの温度を低下させ、夏の都市のヒートアイランド現象の低下が期待できる。
【図面の簡単な説明】
【０００７】
【図１】本発明の地表面の緑化部材の実施例の説明図。
【図２】緑化部材の容器の実施例の説明図。
【図３】容器と蓋の実施例の説明図。
【図４】容器の実施例の断面図。
【図５】容器に植生した実施例の断面図。
【図６】緑化部材を使用した緑化方法の実施例の説明図。
【図７】容器と基盤の実施例の説明図。
【図８】容器と基盤の他の実施例の説明図。
【図９】従来の緑化方法の実施例の説明図。
【図１０】従来の緑化方法の実施例の説明図。
【図１１】従来の緑化方法の実施例の説明図。
【図１２】従来の緑化方法の実施例の説明図。
【図１３】従来の緑化方法の実施例の説明図。
【発明を実施するための形態】
【０００８】
以下図面を参照にしながら本発明の好適な実施の形態を、緑化部材と緑化方法に分けて詳細に説明する。
【実施例】
【０００９】
＜１＞全体の構成。
本発明の緑化部材は、隣接して位置する複数の容器１と、容器１の上の開口面を閉塞し除去可能な蓋２と、容器１の底面に開口した排水口１１と、排水口１１の周囲に形成した越流堰１２と、越流堰１２と容器１の壁面の間に形成した貯水槽１３とで構成したものである。
以下、個別に説明する。
【００１０】
＜２＞容器。
容器１は、上面開放の筒体であり、断面が円形の筒、あるいは多角形の筒を採用することができる。
この容器１の外周にはコンクリートなどの硬化材４が打設されるから一定の強度を備えていることが必要である。
この容器１は、コンクリートまたはアスファルトを打設した後の箱抜きに相当する。
ただし強固な金属製である必要はなく、各種の公知のプラスチック、紙、木質材料などによって構成することができる。
容器１単体は以下に説明するような構成であるが、本発明の緑化部材は、複数の容器１を隣接して配置する。
隣接する容器１と容器１との間隔が、後述するコンクリート等の打設空間となるので、両者が直接接触することなく、かつあまり離れすぎることもない、適度な間隔を保持することが必要である。
【００１１】
＜３＞蓋。
容器１の上面の開放部を、除去が容易な蓋２で閉塞する。
蓋２で閉塞する理由は、容器１の周囲にコンクリート、アスファルトなどの硬化材４を打設した場合に、それらを容器１の内部に流入させないためである。
したがって強固な蓋２である必要はなく、各種の公知のプラスチック、紙、木質材料などによって構成することができる。
この蓋２は一般に容器１の内径と同寸法の栓体部２１と、その上の容器１の外形と等しい寸法の蓋体部２２とによって構成する。
蓋２はそれ自体を外部へ撤去する構成に限らず、容器１内に押し込んで破壊できる構成を採用することができる。
あるいは薄く曲がりやすい材料で蓋２を構成すれば、破壊させずに単に押し込みだけで元の位置から除去することができる。
また前記の容器１の蓋２は、膜状の素材で形成し、破いたり、破壊して除去することもできる。
また膜状の蓋２は、容器１と一体で形成することもできる。
また前記の容器１の蓋２は、生分解する材料で構成することができる。
また前記の容器１の蓋２は、逆円錐台の形状に構成することができる。
逆円錐台の形状に構成した場合には、蓋２を撤去した場合に、周囲に打設した硬化材４の縁に、傾斜した面取り部を形成することができ、硬化材４の縁部の破損を防止できる。
【００１２】
＜４＞貯水槽。
容器１は底面を備えた容器であるが、その底面の一部には排水口１１を開口する。
排水口１１の存在によって、容器１内が水で充満してしまう状況を避けることができる。
この排水口１１の周囲に囲む状態で、越流堰１２を形成する。
すると、越流堰１２と、容器１の壁面の間に貯水槽１３を形成することができる。
越流堰１２の高さ次第で、貯水槽１３の容積を決定することができるから、乾燥地帯や、傾斜角の大きい斜面に設置する場合には越流堰１２の高さを高く形成して対応することができる。
貯水槽１３の内部に、後述する土壌が入ることがないように、貯水槽１３の上にはフィルタ１５を配置することができる。
あるいは貯水槽１３の内部には、擁壁の背面に設置するような、市販の各種の排水材を配置することができる。
また上記の容器１を一体成型する場合に限らず、図３に示すように、貯水槽１３と、その上部の筒部１４とを分離して製造し、現場で両者を一体化可能に構成することができる。
このように容器１を筒部１４と貯水槽１３とで分離して構成すると、多少複雑な形状の容器１であっても安価に製造することができる。
【００１３】
＜５＞基盤。
現場では上記の容器１を隣接して多数配置し、容器１と容器１との間に硬化材４を打設する。
したがって現場で容器１単体を並べてもよいが、複数の容器１を共通する基盤３上に設置することができる。
そのために図７に示すように板状の基盤３に、容器１の外形とほぼ等しい穴３１を均等に多数、開口しておき、その穴３１に容器１を挿入して設置することができる。
あるいは、図８に示すように基盤３として溶接金網のような網状の基盤３を採用し、容器１の外形とほぼ等しい穴としての網目３２の間に容器１を多少強い力で挿入して一体化する構成を採用することもできる。
【００１４】
＜６＞地表面の緑化方法。
次に上記の緑化部材を使用した緑化方法について図６によって説明する。
【００１５】
＜７＞対象とする地表面。
本発明の緑化方法の対象は、道路、切土や盛土の斜面、堤防の斜面などである。
【００１６】
＜８＞容器の設置。（図６の第１工程）
対象とする地表面の上に、上記の容器１を間隔を介して多数個設置する。
容器１群を共通の基盤３に固定してあれば、基盤３ごと設置することができる。
あるいはまず地表面に基盤３を敷設し、その後に基盤３の穴３１や網目３２に容器１を挿入して設置することもできる。
その段階ではすべての容器１の上部の開放面は蓋２で閉塞している。
【００１７】
＜９＞硬化材の打設。（図６の第２工程）
要求される強度によっては、  容器１と容器１との間にメッシュ金網や鉄筋などの補強材を配置する。
そして、隣接する容器１と容器１との間の空間に、硬化材４を打設、投入して容器１の高さまで充填する。
硬化材４として、例えば一般のコンクリート、アスファルト、以外にも透水性コンクリート、ポーラスコンクリート、透水性アスファルト、ポーラスアスファルトなどを採用することができる。
これらの硬化材４はポンプ車などで打設し、バイブレータで振動を与えれば、蓋２の蓋体部２２が逆円錐台の形状であってもその下面に充填することも容易である。
【００１８】
＜１０＞蓋の撤去。（図６の第３工程）
硬化材４が硬化したら、容器１の上面を閉塞していた蓋２を除去する。
その場合に、前記したように蓋２を外部に撤去するだけでなく、その位置で蓋２を容器１の中に押し込み、蓋２を数片に破壊したり、押し込んで変形するような除去方法を採用することも可能である。
【００１９】
＜１１＞土壌の充填。（図６の第４工程）
蓋２を撤去すれば容器１の上部を開放できるから、その内部に土壌５を充填する。
土壌５の中に肥料や植物の種子を混入しておけば、そのまま放置するだけで植物５１を育成して地表面に植生することができる。
上記の方法において、容器１と容器１との間に鉄筋などの補強材を配置することができる。
以上の工程によって、コンクリートなどの硬化材４の表面に多数の植生区域を確保した地表面を提供することができる。
【符号の説明】
【００２０】
１：容器
２：蓋
１３：貯水槽
３：基盤
４：硬化材
５：土壌
【図１】
2012087477.tif 000003
【図２】
2012087477.tif 000004
【図３】
2012087477.tif 000005
【図４】
2012087477.tif 000006
【図５】
2012087477.tif 000007
【図６】
2012087477.tif 000008
【図７】
2012087477.tif 000009
【図８】
2012087477.tif 000010
【図９】
2012087477.tif 000011
【図１０】
2012087477.tif 000012
【図１１】
2012087477.tif 000013
【図１２】
2012087477.tif 000014
【図１３】
2012087477.tif 000015